(57)【要約】【課題】片手でもトイレットペーパーを確実かつ容易に切断できるトイレットペーパーホルダーを提供する。【解決手段】構造物の壁面等に固定されるブラケット２と、該ブラケットに正転方向に回転可能かつ逆転方向に回転不能に取り付けられ、トイレットペーパー２０のロール体２１を保持する回転体４と、前記ブラケット２に回動自在に支持され、先端部にカッタ部５ｃが形成された回動体５とを設ける。回転体４には、該回転体の回転中心軸を中心とする円周上に複数の凹部１０ａを形成する。また、回動体５には、通常時は前記凹部１０ａとの係合が解除状態にあり、当該回動体がロール体２１の外周面との間隔が拡大する側へ回動したとき前記凹部１０ａに係合して回転体４の回転を規制する係合部材１２を設ける。【選択図】図２
2005329157.tif 000002
【特許請求の範囲】
【請求項１】
構造物の壁面等に固定されるブラケットと、該ブラケットに逆転防止機構を介して正転方向に回転可能かつ逆転方向に回転不能に取り付けられ、その回転中心軸とトイレットペーパーのロール体の軸心とを一致させて当該ロール体を保持することのできる回転体と、該回転体に保持されたロール体の外周面との間隔が拡縮する方向に回動自在に前記ブラケットに支持され、先端部にロール体から引き出されたトイレットペーパーを切断するためのカッタ部が形成された回動体とを備え、前記回転体に、該回転体の回転中心軸を中心とする円周上に複数の凹部が形成されているとともに、前記回動体に、通常時は前記凹部との係合が解除状態にあり、当該回動体がロール体の外周面との間隔が拡大する側へ回動したとき前記凹部に係合して前記回転体の回転を規制する係合部材が設けられていることを特徴とするトイレットペーパーホルダー。
【請求項２】
前記逆転防止機構は、前記ブラケット及び前記回転体の何れか一方に、回転体の回転中心軸を中心とする放射方向の係合溝が設けられ、他方に、前記係合溝と係合可能で、回転体が正転方向に回転する場合は係合溝から脱出することができ、回転体が逆転方向に回転する場合は係合溝から脱出することができない係合爪が設けられている請求項１に記載のトイレットペーパーホルダー。
【請求項３】
前記回転体の回転中心軸及び前記回動体の回動中心軸が水平で、当該回動体がトイレットペーパーのロール体の上方を覆う上部カバーを兼用している請求項１又は２に記載のトイレットペーパーホルダー。
【発明の詳細な説明】
【技術分野】
【０００１】
この発明は、ロール状トイレットペーパー用のトイレットペーパーホルダーに関し、詳しくはトイレットペーパーを片手でも容易に必要長さに引き出して切断できるようにしたトイレットペーパーホルダーに関する。
【背景技術】
【０００２】
従来の一般的なトイレットペーパーホルダーは、トイレットペーパーのロール体の芯管内部に棒体を挿通して当該ロール体を回転自在に保持し、そのロール体から引き出したトイレットペーパーを、ロール体の上方を覆う上部カバーの先端部に形成されたカッタ部で切断するようになっている。この種のトイレットペーパーホルダーでは、トイレットペーパーを必要長さに切断する際、上部カバーが持ち上がらないようにするとともに、ロール体が空転するのを防止するために、トイレットペーパーを掴んでいる手とは別の手で上部カバーを押えておかなければならない。つまり、トイレットペーパーの切断には両手が必要であり、身体に障害がある人や何らかの事情で片手が塞がっている状況にある人にとって、トイレットペーパーの切断が困難であった。
【０００３】
上記不都合に対し、片手でも容易にトイレットペーパーを使用できるようにするための提案が種々なされている（例えば特許文献１〜３）。しかしながら、これら従来の提案は、上部カバーが持ち上がらないようにするための方策はとられていても、トイレットペーパーロール体の空転を防止するための方策が十分にとられていないので、切断時にロール体が空転してしまい、トイレットペーパーをうまく切断できなかった。
【特許文献１】特開２００２−８５２８８号公報
【特許文献２】特開２００３−２４２４１号公報
【特許文献３】特開２００４−６５６０４号公報
【発明の開示】
【発明が解決しようとする課題】
【０００４】
本発明は、上記事情に鑑みなされたものであり、トイレットペーパー切断時におけるカッタ部が持ち上がることとトイレットペーパーのロール体が空転することを完全に防止して、片手でも確実かつ容易にトイレットペーパーを切断することのできるトイレットペーパーホルダーを提供することを課題としている。
【課題を解決するための手段】
【０００５】
上記課題を解決するために、本発明は次の構成とした。すなわち、請求項１に記載のトイレットペーパーホルダーは、構造物の壁面等に固定されるブラケットと、該ブラケットに逆転防止機構を介して正転方向に回転可能かつ逆転方向に回転不能に取り付けられ、その回転中心軸とトイレットペーパーのロール体の軸心とを一致させて当該ロール体を保持することのできる回転体と、該回転体に保持されたロール体の外周面との間隔が拡縮する方向に回動自在に前記ブラケットに支持され、先端部にロール体から引き出されたトイレットペーパーを切断するためのカッタ部が形成された回動体とを備え、前記回転体に、該回転体の回転中心軸を中心とする円周上に複数の凹部が形成されているとともに、前記回動体に、通常時は前記凹部との係合が解除状態にあり、当該回動体がロール体の外周面との間隔が拡大する側へ回動したとき前記凹部に係合して前記回転体の回転を規制する係合部材が設けられていることを特徴としている。
【０００６】
この構成によれば、ロール体から引き出されるトイレットペーパーの切断操作を行うと、それに連動して回動体の係合部材が回転体の凹部に係合し、それによって、回動体の回動が規制されるとともに、ロール体の回転が拘束される。このため、トイレットペーパーの切断時にカッタ部が持ち上がること、及びトイレットペーパーのロール体が空転することがなく、片手でも確実かつ容易にトイレットペーパーを切断することができる
【０００７】
また、請求項２に記載のトイレットペーパーホルダーは、請求項１の内容に加えて、前記逆転防止機構は、前記ブラケット及び前記回転体の何れか一方に、回転体の回転中心軸を中心とする放射方向の係合溝が設けられ、他方に、前記係合溝と係合可能で、回転体が正転方向に回転する場合は係合溝から脱出することができ、回転体が逆転方向に回転する場合は係合溝から脱出することができない係合爪が設けられている構成とした。
【０００８】
これにより、切断操作終了時の反動やロール体に異物が接触することによって、回転体がトイレットペーパーを巻き取る方向（逆転方向）に回転することがないので、トイレットペーパーの端部が常に適正な位置に維持され、次回使用時にトイレットペーパーの端部を容易に掴むことができる。
【０００９】
さらに、請求項３に記載のトイレットペーパーホルダーは、請求項１又は２の内容に加えて、前記回転体の回転中心軸及び前記回動体の回動中心軸が水平で、当該回動体がトイレットペーパーのロール体の上方を覆う上部カバーを兼用するようにした。
【００１０】
このように回動体が上部カバーを兼用する構成とすることにより、部品点数を低減化できる。また、切断操作終了時に上部カバーの自重で係合部材が通常時の位置に復帰するので、係合部材を通常時の位置に復帰させるための付勢手段を設ける必要がない。
【発明の効果】
【００１１】
本発明にかかるトイレットペーパーホルダーは、上記のように回動体の回動が規制されるとともに、トイレットペーパーのロール体の空転が完全に防止されるので、トイレットペーパーを片手でも容易に引き出して切断することができる。したがって、このトイレットペーパーホルダーは、身体に障害がある人が住む住宅の便所や不特定多数の人が使用する施設等の便所に設置するのに好適である。
【発明を実施するための最良の形態】
【００１２】
垂直な壁面に取り付けて使用するトイレットペーパーホルダーに本発明を適用し、トイレットペーパーの着脱容易化及び切断容易化を図る。
【実施例】
【００１３】
以下、図面に表された実施例について説明する。図１はトイレットペーパーのロール体を装着した状態を示すトイレットペーパーホルダーの正面図、図２はその側面図、図３はそのＳ−Ｓ断面図である。このトイレットペーパーホルダー１は、垂直な壁面に固定されるブラケット２と、該ブラケットと一体に設けられた逆転防止用ボス３と、該逆転防止用ボスに対し正転方向に回転可能かつ逆転方向に回転不能に設けられた回転体４と、前記ブラケット２に回動自在に支持された回動体としての上部カバー５とで構成されている。
【００１４】
ブラケット２は、壁面にビス等で固定される背面板２ａと、該背面板の一側端部から前方に突出する側板２ｂとからなる。背面板２ａの左右両端の上端部間にはカバー支持軸６が水平に設けられ、このカバー支持軸６に上部カバー５の基部が回動自在に支持されている。
【００１５】
逆転防止用ボス３は、図４に示すように、小径部３ａと大径部３ｂとを有する段付きの形状をしており、前記ブラケットの側板２ｂに外側から挿通した皿ねじ７を小径部３ａの端面に螺着させることにより、中心軸が水平になるよう側板２ｂに固定状態で取り付けられている。なお、図示の実施例では、中心軸上に位置する１本の皿ねじ７によって逆転防止用ボス３が取り付けられているので、後述する回転体４の回転によって皿ねじ７が緩まないように、皿ねじ７は回転体４の正転方向に回転させると締まるように設けておくのが好ましい。
【００１６】
また、小径部３ａと大径部３ｂとの段面３ｃには、その中間部から外周縁にかけて放射状に複数の係合溝８，…が等間隔で形成されている。この係合溝８，…は、後述する回転体４の係合爪９，…とで、回転体の逆転防止機構を構成している。
【００１７】
回転体４は、図５に示すように、円筒部４ａと円板部４ｂとからなり、円筒部４ａの内側に逆転防止用ボスの大径部３ｂが摺動自在に嵌合している。これにより、回転体４はブラケット２及び逆転防止用ボス３に対し回転自在になっている。円筒部４ａは、トイレットペーパーロール体２１の芯管を外嵌させて、該ロール体を一体に保持するようになっている。回転体４はブラケット２に片持ち支持されているので、図１における右方からロール体２１を円筒部４ａに着脱できる。このロール体２１の着脱は容易で、片手で簡単に行える。
【００１８】
また、円板部４ｂには、前記係合溝８，…に対応する係合爪９，…が設けられている。この係合爪９は、図６に示すように、幅方向の中央部で屈曲した断面形状をしており、幅方向の一方の角部９ａは前記段面３ｃの対向面４ｃよりも逆転防止用ボス３の側に突出している。この角部９ａを構成する一対の面は、対向面４ｃに対する傾斜が緩やかな緩傾斜面９ｂと、対向面４ｃに対する傾斜が急な急傾斜面９ｃとになっている。係合爪９は比較的肉厚が薄いので、厚み方向の可撓性を有している。
【００１９】
通常時、係合爪９は角部９ａが係合溝８に嵌り込んだ状態になっている（図６の状態）。その状態で、回転体４に正転方向Ａの力が加わった場合、緩傾斜面９ｂの傾斜に合わせて係合爪９が図６において上向きに徐々に撓むことにより、角部９ａが係合溝８の外に乗り上げるので、回転体４は正転方向Ａへ円滑に回転する。一方、回転体４に逆転方向Ｂの力が加わった場合、急傾斜面９ｃが係合溝８の縁部に係合して、角部９ａが係合溝８の外に乗り上げられないので、回転体４は回転できない。すなわち、回転体４は逆転防止用ボス３に対して、正転方向Ａへは回転可能であるが、逆転方向Ｂへは回転不能である。
【００２０】
また、円板部４ｂには、後記係合部材１２を案内する案内溝１０が形成されている。この案内溝１０は、回転体４の回転中心軸を中心とする円環状で、外周側に複数の凹部１０ａ，…が等間隔で形成されている。
【００２１】
上部カバー５は、回動体４の円筒部４ａに保持されたトイレットペーパーロール体２１の上方を覆うように設けられ、ブラケット２に設けたカバー支持軸６に基部が回動自在に支持されている。上部カバーの本体部５ａは、後部は平板で、前部はロール体の外形に沿わせて湾曲している。そして、その湾曲した本体部前部に続いて前方に突出する円弧状部５ｂが形成され、さらに該円弧状部の先に斜め下向きに屈曲し、先端部が側面視で鋭利に形成されたカッタ部５ｃが形成されている。
【００２２】
本体部５ａの一側端部から支持板１１が垂下して設けられ、その下端部に前記案内溝１０に遊嵌する係合部材１２が取り付けられている。通常時は、図２に示すように、係合部材１２が案内溝１０の内周壁に当接する位置にあり、上部カバー５の重量を支持板１１及び係合部材１２が支えている。
【００２３】
図７に示すように、トイレットペーパー２０をロール体２１から引き出すと、トイレットペーパー２０が緊張することにより、上部カバー５が若干持ち上げられるが、係合部材１２が案内溝１０の凹部１０ａに係合することはないので、回転体４及びそれに保持されたロール体２１は自由に正転方向Ａに回転することができる。
【００２４】
トイレットペーパー２０を適当長さだけ引き出し、これを切断するために引き出したトイレットペーパー２０を上向きに引っ張ると、図８に示すように、トイレットペーパー２０に持ち上げられた上部カバー５が上方に回動して、係合部材１２が案内溝１０の凹部１０ａに係合する。これにより、上部カバー５がそれ以上回動しなくなるとともに、回転体４及びロール体２１の回転が拘束される。さらにトイレットペーパー２０を上向きに引っ張ると、カッタ部５ｃによってトイレットペーパー２０が切断される。このように、切断操作に連動して、自動的に上部カバー５の回動規制及び回転体４の回転拘束がなされるので、片手だけで確実かつ容易にトイレットペーパー２０を切断することができる。
【００２５】
切断によってトイレットペーパー２０の支えがなくなると、上部カバー５は自重で元の位置まで回動する。カッタ部５ｃはロール体２１の外周面から離れた位置にあるため、図２に示すように、切断後のトイレットペーパー２０の端部がロール体２１から垂れ下がった状態となり、次回トイレットペーパーを使用するときに紙を掴みやすい。
【産業上の利用可能性】
【００２６】
実施例では、回転体の回転中心軸及び回動体の回動中心軸が水平で、垂直な壁面に取り付けて使用するトイレットペーパーホルダーについて示したが、回転体の回転中心軸及び回動体の回動中心軸が垂直又は斜めになるよう設けてもよい。また、トイレットペーパーホルダーを床面や水平台の上に設置するようにしてもよい。
【図面の簡単な説明】
【００２７】
【図１】トイレットペーパーが装着されたトイレットペーパーホルダーを示す正面図である。
【図２】その側面図である。
【図３】図２におけるＳ−Ｓ断面図である。
【図４】逆転防止用ボスの（ａ）正面断面図、及び（ｂ）側面図である。
【図５】回転体の（ａ）正面断面図、及び（ｂ）側面図である。
【図６】係合溝及び係合爪の断面図である。
【図７】ペーパー引き出し時の状態を示すトイレットペーパーホルダーの側面図である。
【図８】ペーパー切断時の状態を示すトイレットペーパーホルダーの側面図である。
【符号の説明】
【００２８】
１  トイレットペーパーホルダー
２  ブラケット
３  逆転防止用ボス
４  回転体
５  上部カバー（回動体）
５ｃ  カッタ部
８  係合溝（逆転防止機構）
９  係合爪（逆転防止機構）
１０  案内溝
１０ａ  凹部
１２  係合部材
【図１】
2005329157.tif 000003
【図２】
2005329157.tif 000004
【図３】
2005329157.tif 000005
【図４】
2005329157.tif 000006
【図５】
2005329157.tif 000007
【図６】
2005329157.tif 000008
【図７】
2005329157.tif 000009
【図８】
2005329157.tif 000010